(57)【要約】【課題】電力線が他の物体と干渉してしまうことを抑制することができるモーターユニットを提供すること。【解決手段】モーターと、前記モーターを駆動する駆動回路を有するアンプ部と、を備える、前記アンプ部は、アンプカバーを有し、前記アンプカバーに、前記モーターに電力を供給する電力線が結束されている、モーターユニット。【選択図】図２
2017216863.tif 000002
【特許請求の範囲】
【請求項１】
モーターと、
前記モーターを駆動する駆動回路を有するアンプ部と、を備え、
前記アンプ部は、アンプカバーを有し、
前記アンプカバーに、前記モーターに電力を供給する電力線が結束されている、
モーターユニット。
【請求項２】
前記電力線は、
前記アンプカバーの外側に結束されている、
請求項１に記載のモーターユニット。
【請求項３】
前記アンプカバーと前記電力線との間には、
他の配線が挟まれていない、
請求項１又は２に記載のモーターユニット。
【請求項４】
前記モーターと前記アンプ部のうち少なくとも一方を覆う防水カバーを備える、
請求項１から３のうちいずれか一項に記載のモーターユニット。
【請求項５】
前記アンプ部は、放熱部材を備える、
請求項１から４のうちいずれか一項に記載のモーターユニット。
【請求項６】
前記放熱部材の材質は、金属である、
請求項５に記載のモーターユニット。
【請求項７】
前記放熱部材の材質は、鉄、アルミニウム、銅のいずれかである、
請求項６に記載のモーターユニット。
【請求項８】
前記放熱部材は、
前記アンプ部を前記モーターに取り付け可能である、
請求項５から７のうちいずれか一項に記載のモーターユニット。
【請求項９】
前記放熱部材は、
前記アンプ部を前記モーター以外の物体に取り付け可能である、
請求項５から８のうちいずれか一項に記載のモーターユニット。
【請求項１０】
前記放熱部材は、
第１開口部を有する、
請求項５から９のうちいずれか一項に記載のモーターユニット。
【請求項１１】
前記アンプ部は、
アンプ基板を有し、前記アンプ基板と前記放熱部材との間に緩衝部材が配置されている、
請求項５から１０のうちいずれか一項に記載のモーターユニット。
【請求項１２】
前記アンプ基板と前記放熱部材との間に放熱シートが配置されている、
請求項１１に記載のモーターユニット。
【請求項１３】
前記アンプ部は、アンプ基板を有し、
前記アンプ基板と前記放熱部材との間に放熱シートが配置されている、
請求項５から１０のうちいずれか一項に記載のモーターユニット。
【請求項１４】
請求項１から１３のうちいずれか一項に記載のモーターユニットを備える、
ロボット。
【請求項１５】
筐体を備え、
前記アンプ部は、
前記筐体に取り付け可能である、
請求項１４に記載のロボット。
【請求項１６】
前記アンプ部は、前記筐体の内部に位置する、
請求項１５に記載のロボット。
【請求項１７】
前記筐体は、
移動可能である、
請求項１５又は１６に記載のロボット。
【請求項１８】
前記筐体のうち前記アンプ部を取り付け可能な部分は、
放熱部材である、
請求項１５から１７に記載のロボット。
【請求項１９】
前記筐体は、
第２開口部を有し、
前記筐体のうち前記アンプ部を取り付け可能な部分は、
前記第２開口部の少なくとも一部を覆う蓋部材である、
請求項１５から１８のうちいずれか一項に記載のロボット。
【請求項２０】
前記蓋部材の材質は、
金属である、
請求項１９に記載のロボット。
【発明の詳細な説明】
【技術分野】
【０００１】
この発明は、モーターユニット、及びロボットに関する。
【背景技術】
【０００２】
モーターを駆動するアンプの研究や開発が行われている。
【０００３】
これに関し、ステーター及びローターからなるモーター部と、センサー及びセンサー処理回路からなるセンサー部とを有するサーボモーターと、モーターを駆動する駆動回路と、駆動回路を制御する制御回路と、通信回路とを備えたサーボアンプと、からなるサーボアンプ一体型サーボモーターにおいて、サーボアンプがサーボモーターの軸方向端部に取り付けられているサーボアンプ一体型サーボモーターが知られている（特許文献１参照）。
【先行技術文献】
【特許文献】
【０００４】
【特許文献１】特開２００７−３７２３８号公報
【発明の概要】
【発明が解決しようとする課題】
【０００５】
しかしながら、このようなサーボアンプ一体型サーボモーターは、配線の管理がなされておらず、配線が他の物体と干渉してしまう場合があった。その結果、当該サーボアンプ一体型サーボモーターでは、配線が断線してしまう場合や、配線を流れる電流の波形を変化させるノイズを増大させてしまう場合があった。また、当該サーボアンプ一体型サーボモーターでは、組み立て時における配線の形状や位置がばらつくことがあり、組み立て後の品質や組み立て作業の効率を向上させることが困難な場合があった。
【課題を解決するための手段】
【０００６】
上記課題の少なくとも一つを解決するために本発明の一態様は、モーターと、前記モーターを駆動する駆動回路を有するアンプ部と、を備え、前記アンプ部は、アンプカバーを有し、前記アンプカバーに、前記モーターに電力を供給する電力線が結束されている、モーターユニットである。
この構成により、モーターユニットでは、アンプ部は、アンプカバーを有し、アンプカバーに、モーターに電力を供給する電力線が結束されている。これにより、モーターユニットは、電力線が他の物体と干渉してしまうことを抑制することができる。
【０００７】
また、本発明の他の態様は、モーターユニットにおいて、前記電力線は、前記アンプカバーの外側に結束されている、構成が用いられてもよい。
この構成により、モーターユニットでは、電力線は、アンプカバーの外側に結束されている。これにより、モーターユニットは、アンプカバーの外側に結束された電力線が他の物体と干渉してしまうことを抑制することができる。
【０００８】
また、本発明の他の態様は、モーターユニットにおいて、前記アンプカバーと前記電力線との間には、他の配線が挟まれていない、構成が用いられてもよい。
この構成により、モーターユニットでは、アンプカバーと電力線との間には、他の配線が挟まれていない。これにより、モーターユニットは、電力線を流れる電流の波形の変化が他の配線を流れる電流の波形を変化させてしまうことを抑制することができる。
【０００９】
また、本発明の他の態様は、モーターユニットにおいて、前記モーターと前記アンプ部のうち少なくとも一方を覆う防水カバーを備える、構成が用いられてもよい。
この構成により、モーターユニットは、モーターとアンプ部のうち少なくとも一方を覆う防水カバーを備える。これにより、モーターユニットは、耐水性を向上させることができる。
【００１０】
また、本発明の他の態様は、モーターユニットにおいて、前記アンプ部は、放熱部材を備える、構成が用いられてもよい。
この構成により、モーターユニットでは、アンプ部は、放熱部材を備える。これにより、モーターユニットは、アンプ部の発熱による不具合の発生を抑制することができる。
【００１１】
また、本発明の他の態様は、モーターユニットにおいて、前記放熱部材の熱伝導率は、４０Ｗ／ｍ・Ｋ以上である、構成が用いられてもよい。
この構成により、モーターユニットでは、アンプ部は、熱伝導率が４０Ｗ／ｍ・Ｋ以上の放熱部材を備える。これにより、モーターユニットは、熱伝導率が４０Ｗ／ｍ・Ｋ以上の放熱部材によって、アンプ部の発熱による不具合の発生を抑制することができる。
【００１２】
また、本発明の他の態様は、モーターユニットにおいて、前記放熱部材の熱伝導率は、２００Ｗ／ｍ・Ｋ以上である、構成が用いられてもよい。
この構成により、モーターユニットでは、アンプ部は、熱伝導率が２００Ｗ／ｍ・Ｋ以上の放熱部材を備える。これにより、モーターユニットは、熱伝導率が２００Ｗ／ｍ・Ｋ以上の放熱部材によって、アンプ部の発熱による不具合の発生を抑制することができる。
【００１３】
また、本発明の他の態様は、モーターユニットにおいて、前記放熱部材は、前記アンプ部を前記モーターに取り付け可能である、構成が用いられてもよい。
この構成により、モーターユニットでは、放熱部材は、アンプ部をモーターに取り付け可能である。これにより、モーターユニットは、モーターとアンプ部とを一体化することができる。
【００１４】
また、本発明の他の態様は、モーターユニットにおいて、前記放熱部材は、前記アンプ部を前記モーター以外の物体に取り付け可能である、構成が用いられてもよい。
この構成により、モーターユニットでは、放熱部材は、アンプ部をモーター以外の物体に取り付け可能である。これにより、モーターユニットは、組み付け対象へ組み付ける位置を選択する自由度を向上させることができる。
【００１５】
また、本発明の他の態様は、モーターユニットにおいて、前記放熱部材は、第１開口部を有する、構成が用いられてもよい。
この構成により、モーターユニットでは、放熱部材は、第１開口部を有する。これにより、モーターユニットは、アンプ部において放熱部材によって覆いたくない所望の部分を第１開口部によって外部に開くことができる。
【００１６】
また、本発明の他の態様は、モーターユニットにおいて、前記アンプ部は、アンプ基板を有し、前記アンプ基板と前記放熱部材との間に緩衝部材が配置されている、構成が用いられてもよい。
この構成により、モーターユニットでは、アンプ部は、アンプ基板を有し、アンプ基板と放熱部材との間に緩衝部材が配置されている。これにより、モーターユニットは、アンプ基板に放熱部材を取り付ける際にアンプ基板が変形してしまうことを抑制することができる。
【００１７】
また、本発明の他の態様は、モーターユニットにおいて、前記アンプ基板と前記放熱部材との間に放熱シートが配置されている、構成が用いられてもよい。
この構成により、モーターユニットでは、アンプ基板と放熱部材との間に放熱シートが配置されている。これにより、モーターユニットは、アンプ基板と放熱部材との間を緩衝部材と放熱シートとで埋めることができ、アンプ部の発熱による不具合の発生を抑制することができる。
【００１８】
また、本発明の他の態様は、上記に記載のモーターユニットを備える、ロボットである。
この構成により、ロボットでは、アンプ部は、アンプカバーを有し、アンプカバーに、モーターに電力を供給する電力線が結束されている。これにより、ロボットは、電力線が他の物体と干渉してしまうことを抑制することができる。
【００１９】
また、本発明の他の態様は、ロボットにおいて、筐体を備え、前記アンプ部は、前記筐体に取り付け可能である、構成が用いられてもよい。
この構成により、ロボットでは、アンプ部は、筐体に取り付け可能である。これにより、ロボットは、筐体によってアンプ部の発熱による不具合の発生を抑制することができる。
【００２０】
また、本発明の他の態様は、ロボットにおいて、前記筐体は、移動可能である、構成が用いられてもよい。
この構成により、ロボットでは、筐体は、移動可能である。これにより、ロボットは、移動可能な筐体によってアンプ部の発熱による不具合の発生をより確実に抑制することができる。
【００２１】
また、本発明の他の態様は、ロボットにおいて、前記筐体のうち前記アンプ部を取り付け可能な部分は、放熱部材である、構成が用いられてもよい。
この構成により、ロボットでは、筐体のうちアンプ部を取り付け可能な部分は、放熱部材である。これにより、ロボットは、筐体のうちアンプ部を取り付け可能な部分であって放熱部材の部分によってアンプ部の発熱による不具合の発生をより確実に抑制することができる。
【００２２】
また、本発明の他の態様は、ロボットにおいて、前記筐体は、第２開口部を有し、前記筐体のうち前記アンプ部を取り付け可能な部分は、前記第２開口部の少なくとも一部を覆う蓋部材である、構成が用いられてもよい。
この構成により、ロボットでは、筐体は、第２開口部を有し、筐体のうちアンプ部を取り付け可能な部分は、第２開口部の少なくとも一部を覆う蓋部材である。これにより、ロボットは、第２開口部の少なくとも一部を覆う蓋部材によってアンプ部の発熱による不具合の発生をより確実に抑制することができるとともに、アンプ部のメンテナンスをユーザーに容易に行わせることができる。
【００２３】
また、本発明の他の態様は、ロボットにおいて、前記蓋部材の熱伝導率は、４０Ｗ／ｍ・Ｋ以上である、構成が用いられてもよい。
この構成により、ロボットでは、蓋部材の熱伝導率は、４０Ｗ／ｍ・Ｋ以上である。これにより、ロボットは、熱伝導率が４０Ｗ／ｍ・Ｋ以上の蓋部材によってアンプ部の発熱による不具合の発生を抑制することができる。
【００２４】
以上により、モーターユニット、及びロボットでは、アンプ部は、アンプカバーを有し、アンプカバーに、モーターに電力を供給する電力線が結束されている。これにより、モーターユニットは、電力線が他の物体と干渉してしまうことを抑制することができる。
【図面の簡単な説明】
【００２５】
【図１】実施形態に係るロボット１の構成の一例を示す図である。
【図２】モーターユニット２の一例を示す前面図である。
【図３】図２に示したモーターユニット２の右面図である。
【図４】図２に示したモーターユニット２の左面図である。
【図５】図２に示したモーターユニット２の斜視図である。
【図６】図５に示したモーターユニット２を他の角度から見た場合の斜視図である。
【図７】図５に示したモーターユニット２を更に他の角度から見た場合の斜視図である。
【図８】モーターユニット２が備えるアンプ部３の一例を示す斜視図である。
【図９】第２アームＡ２の内部の様子の一例を示す図である。
【図１０】ロボット１の筐体であって第２開口部を有する筐体の少なくとも一部を覆う蓋部材に取り付けられたアンプ部３の一例を示す図である。
【図１１】図１０に示した筐体から蓋部材を取り外した状態を示す図である。
【発明を実施するための形態】
【００２６】
＜実施形態＞
以下、本発明の実施形態について、図面を参照して説明する。
【００２７】
＜ロボットの構成＞
まず、ロボット１の構成について説明する。
図１は、実施形態に係るロボット１の構成の一例を示す図である。ロボット１は、床面や壁面等の設置面に設置される支持台Ｂと、支持台Ｂにより第１軸ＡＸ１周りに回動可能に支持された第１アームＡ１と、第１アームＡ１により第２軸ＡＸ２周りに回動可能に支持された第２アームＡ２と、第２アームＡ２により第３軸ＡＸ３周りに回動可能且つ第３軸ＡＸ３の軸方向に並進可能に支持されたシャフトＳを備えるスカラロボットである。
【００２８】
なお、ロボット１は、スカラロボットに代えて、垂直多関節ロボットや直角座標ロボット等の他のロボットであってもよい。なお、垂直多関節ロボットは、１つの腕を備える単腕ロボットであってもよく、２つの腕を備える双腕ロボット（２つの腕を備える複腕ロボット）であってもよく、３以上の腕を備える複腕ロボットであってもよい。また、直角座標ロボットは、例えば、ガントリロボットである。
【００２９】
シャフトＳは、円柱形状の軸体である。シャフトＳの周表面には、図示しないボールねじ溝とスプライン溝とがそれぞれ形成されている。シャフトＳは、この一例において、第２アームＡ２の端部のうちの第１アームＡ１と反対側の端部を、支持台Ｂが設置された設置面に対して垂直な方向である第１方向に貫通し、設けられている。また、シャフトＳの端部のうちの当該設置面側の端部は、エンドエフェクターを取り付け可能である。エンドエフェクターは、物体を把持可能なエンドエフェクターであってもよく、空気や磁気等によって物体を吸着可能なエンドエフェクターであってもよく、他のエンドエフェクターであってもよい。
【００３０】
第１アームＡ１は、この一例において、第１軸ＡＸ１周りに回動するので、第２方向に移動する。第２方向は、前述の第１方向に直交する方向である。第２方向は、例えば、ワールド座標系やロボット座標系ＲＣにおけるＸＹ平面に沿った方向である。第１アームＡ１は、支持台Ｂが備えるモーターユニット２１によって第１軸ＡＸ１周りに回動させられる。
【００３１】
第２アームＡ２は、この一例において、第２軸ＡＸ２周りに回動するので、第２方向に移動する。第２アームＡ２は、第２アームＡ２が備えるモーターユニット２２によって第２軸ＡＸ２周りに回動させられる。また、第２アームＡ２は、図示しないモーターユニット２３及び図示しないモーターユニット２４を備え、シャフトＳを支持する。モーターユニット２３は、シャフトＳのボールねじ溝の外周部に設けられたボールねじナットをタイミングベルト等で回動させることにより、シャフトＳを第１方向に移動（昇降）させる。
モーターユニット２４は、シャフトＳのスプライン溝の外周部に設けられたボールスプラインナットをタイミングベルト等で回動させることにより、第３軸ＡＸ３周りにシャフトＳを回動させる。
【００３２】
以下では、一例として、モーターユニット２１〜モーターユニット２４のそれぞれが、すべて同じ構成を有している場合について説明する。なお、モーターユニット２１〜モーターユニット２４のうちの一部又は全部は、互いに異なる構成を有するモーターユニットであってもよい。以下では、モーターユニット２１〜モーターユニット２４のそれぞれを区別する必要がない限り、これらをまとめてモーターユニット２と称して説明する。
【００３３】
モーターユニット２は、モーター４と、アンプ部３を備える（図２、３参照）。アンプ部３は、モーター４を駆動する駆動回路と、駆動回路を制御する制御回路と、通信回路とを有する。ここで、モーターユニット２の概要について説明する。モーターユニット２は、モーター４と、モーター４を駆動する駆動回路を有するアンプ部３と、を備え、アンプ部３は、アンプカバー３２を有し、アンプカバー３２に、モーター４に電力を供給する電力線が結束されている。これにより、モーターユニット２は、電力線が他の物体と干渉してしまうことを抑制することができる。以下では、このようなモーターユニット２について詳しく説明する。また、以下では、一例として、モーター４が図１において図示しないエンコーダーＥＮＣと一体型のモーターである場合について説明する。なお、モーター４は、エンコーダーＥＮＣと別体のモーターであってもよい。
【００３４】
＜モーターユニットの構成＞
以下、図２〜図８を参照し、モーターユニット２の構成について説明する。以下では、説明の便宜上、モーター４の回動軸Ｓ１に沿った方向のうちモータートップケースＭＴＣと反対側からモータートップケースＭＴＣに向かう方向（すなわち、モーター４の回動軸Ｓ１に沿った方向のうちモータートップケースＭＴＣからエンコーダーＥＮＣに向かう方向）を上方向と称し、モータートップケースＭＴＣから当該反対側に向かう方向（すなわち、モーター４の回動軸Ｓ１に沿った方向のうちエンコーダーＥＮＣからモータートップケースＭＴＣに向かう方向）を下方向と称して説明する。モータートップケースＭＴＣは、モーター４が備える端部のうちのモーター４の回動軸Ｓ１が突出している側と反対側の端部に設けられた部材である。ここで、前述のエンコーダーＥＮＣは、モータートップケースＭＴＣの端部のうちモーター４の回動軸Ｓ１が突出している側と反対側の端部に設けられている。また、以下では、モーター４の側面（上下方向と平行な面）のうちアンプ部３が取り付けられた面を前面と称し、前面と対向する面を後面と称し、前面に向かってモーター４を見た場合に右側に位置する面を右面と称し、右面に対向する面を左面と称して説明する。
【００３５】
図２は、モーターユニット２の一例を示す前面図である。また、図３は、図２に示したモーターユニット２の右面図である。また、図４は、図２に示したモーターユニット２の左面図である。また、図５は、図２に示したモーターユニット２の斜視図である。また、図６は、図５に示したモーターユニット２を他の角度から見た場合の斜視図である。図７は、図５に示したモーターユニット２を更に他の角度から見た場合の斜視図である。図８は、モーターユニット２が備えるアンプ部３の一例を示す斜視図である。
【００３６】
図２〜７に示したように、モーターユニット２では、モーター４の前面にアンプ部３が取り付けられている。以下では、一例として、モーター４が三相直流モーターである場合について説明する。なお、モーター４は、これに代えて、他のモーターであってもよい。
アンプ部３は、モーター４が有する基板を介して供給される電力を増幅し、当該基板を介して供給される制御信号に応じてモーター４を動作させる。具体的には、アンプ部３は、モーター４を動作させる際、当該制御信号に応じたタイミングにおいて、モーター４が有する三相それぞれの電磁石に電力を供給する。以下では、説明の便宜上、当該三相のそれぞれをＵ相、Ｖ相、Ｗ相と称して説明する。
【００３７】
アンプ部３は、電力線Ｃ２によってモーター４のＵ相の電磁石に電力を供給する。すなわち、電力線Ｃ２は、アンプ部３とモーター４のＵ相の電磁石とを繋ぐ電力線である。また、アンプ部３は、電力線Ｃ３によってモーター４のＶ相の電磁石に電力を供給する。すなわち、電力線Ｃ３は、アンプ部３とモーター４のＶ相の電磁石とを繋ぐ電力線である。
また、アンプ部３は、電力線Ｃ４によってモーター４のＷ相の電磁石に電力を供給する。
すなわち、電力線Ｃ４は、アンプ部３とモーター４のＷ相の電磁石とを繋ぐ電力線である。
【００３８】
また、アンプ部３は、配管Ｃ１の中を通る電力線によってモーター４が有する基板から電力が供給される。当該基板は、図示しない電源から電力が供給され、供給された電力を当該電力線によってアンプ部３に供給する。また、アンプ部３は、配管Ｃ１の中を通る通信線によってモーター４が有する基板から制御信号が供給される。当該基板は、図示しないロボット制御装置から制御信号が供給され、供給された制御信号を当該通信線によってアンプ部３に供給する。当該ロボット制御装置は、ロボット１を制御する装置である。
【００３９】
アンプ部３は、収納部３０内にアンプ基板３３が収納された構造を有している。アンプ基板３３は、前述の駆動回路と、制御回路と、通信回路を有する基板である。収納部３０は、この一例において、収納部３０の後側の隔壁部と収納部３０の左側の隔壁部と収納部３０の右側の隔壁部とを構成する放熱部材３１と、放熱部材３１に固定されたアンプカバー３２とによって構成され、上側の隔壁部と下側の隔壁部とを有さない。収納部３０の後側の隔壁部には、収納部３０にアンプ基板３３が配置（固定）される。収納部３０が上側の隔壁部と下側の隔壁部とを有さないため、収納部３０は、収納部３０を通る空気によってアンプ部３の熱（すなわち、アンプ基板３３の熱）を放熱することができる。
【００４０】
放熱部材３１は、アンプ部３の発熱量、すなわちアンプ基板３３の発熱量に応じた所定の熱伝導率の放熱部材である。これにより、モーターユニット２は、アンプ部３の発熱による不具合の発生を抑制することができる。以下では、一例として、当該熱伝導率が４０Ｗ／ｍ・Ｋ以上である場合について説明する。なお、当該熱伝導率は、アンプ基板３３が発熱によって不具合が生じてしまうことを抑制するために十分な放熱を行うことが可能な値であれば、４０Ｗ／ｍ・Ｋ未満であってもよい。
【００４１】
放熱部材３１の材質は、樹脂、鉄、アルミニウム、銅等である。樹脂は、熱伝導率が０．５〜２Ｗ／ｍ・Ｋ程度である。鉄は、熱伝導率が４０〜６０Ｗ／ｍ・Ｋ程度である。アルミニウムは、熱伝導率が２００Ｗ／ｍ・Ｋ程度である。銅は、熱伝導率が３５０〜４００Ｗ／ｍ・Ｋ程度である。以下では、一例として、放熱部材３１の材質がアルミニウムである場合について説明する。
【００４２】
放熱部材３１は、モーター４の前面にボルトＢＴによって取り付け可能な取付部を有する。これにより、モーターユニット２は、モーター４とアンプ部３とを一体化することができる。当該取付部には、ボルトＢＴを貫通させる貫通孔が形成されている。図２〜７に示した例では、放熱部材３１は、当該取付部と４本のボルトとによってモーター４の前面に取り付けられている。なお、放熱部材３１は、ボルトＢＴによってモーター４の前面に取り付けられる構成に代えて、ボルトＢＴ以外の他の取付治具や取付機構等によってモーター４の前面に取り付けられる構成であってもよい。また、放熱部材３１は、モーター４の前面に代えて、モーター４の他の面に取り付けられる構成であってもよい。
【００４３】
放熱部材３１には、ボルトＢＴ２とナットＮＴ２によってアンプ基板３３が配置（固定）される。アンプ基板３３と放熱部材３１との間には、緩衝部材ＷＳが配置されている。緩衝部材ＷＳは、アンプ基板３３を放熱部材３１に配置する際、ボルトの締め付けによる応力によってアンプ基板３３が変形してしまうことを抑制するための部材であり、例えば、スプリングワッシャーである。これにより、モーターユニット２は、アンプ基板３３に放熱部材３１を取り付ける際にアンプ基板３３が変形してしまうことを抑制することができる。なお、緩衝部材ＷＳは、スプリングワッシャーに代えて、当該応力によるアンプ基板３３の変形を抑制する他の部材であってもよい。
【００４４】
また、アンプ基板３３と放熱部材３１との間の少なくとも一部には、放熱シートＴＳが配置されている。放熱シートＴＳの厚み（この一例において、前後方向の厚み）は、アンプ基板３３がボルトＢＴ２とナットＮＴ２とによって放熱部材３１に配置された状態における緩衝部材ＷＳの厚み（この一例において、前後方向の厚み）とほぼ同じである。当該一部は、アンプ基板３３と放熱部材３１との間のうちのアンプ基板３３の発熱によって温度が上昇する部分である。また、放熱シートＴＳは、前方向から後ろ方向に向かってアンプ部３を見た場合において、緩衝部材ＷＳと重なる部分を有さないように形成されている。これにより、モーターユニット２は、アンプ基板３３と放熱部材３１との間を緩衝部材ＷＳと放熱シートＴＳとで埋めることができ、アンプ部３の発熱による不具合の発生を抑制することができる。
【００４５】
また、放熱部材３１には、図８に示したように、第１開口部として、開口部ＣＡ１と、開口部ＣＡ２と、開口部ＣＡ３とが形成されている。第１開口部は、アンプ部３を後方向から前方向に向かって見た場合、アンプ基板３３が放熱部材３１に配置された状態において、放熱部材３１の部分のうちアンプ基板３３を覆っていない部分（空間）のことである。
この一例において、アンプ基板３３の後面のうち第１開口部によって放熱部材３１に覆われていない部分には、各種の回路がプリントされている。なお、当該部分は、アンプ基板３３の後面のうち放熱部材３１によって覆われることが好ましくない他の所望の部分であってもよい。
すなわち、放熱部材３１に第１開口部が形成されていることにより、モーターユニット２は、アンプ部３において放熱部材３１によって覆われたくない所望の部分を第１開口部によって外部に開口することができる。特に、放熱部材３１が金属である場合において当該回路がプリントされている部分を放熱部材３１によって覆ってしまうと、放熱部材３１は、当該回路を短絡（ショート）させてしまう場合がある。モーターユニット２は、放熱部材３１に第１開口部が形成されていることにより、このような短絡を抑制することができる。
【００４６】
アンプカバー３２は、収納部３０の前面を覆うカバーである。アンプカバー３２には、前述の電力線Ｃ２と、電力線Ｃ３と、電力線Ｃ４とが結束されている。これにより、モーターユニット２は、電力線Ｃ２、電力線Ｃ３、電力線Ｃ４のそれぞれが他の物体と干渉してしまうことを抑制することができる。また、モーターユニット２は、電力線Ｃ２、電力線Ｃ３、電力線Ｃ４のそれぞれが最大曲げ半径を超えて曲がってしまうことを抑制することができるとともに、ユーザーにモーターユニット２の組み立てを容易に行わせることができる。
【００４７】
具体的には、アンプカバー３２の前面、すなわちアンプカバー３２の外側には、第１結束部ＢＢ１と、第２結束部ＢＢ２とが取り付けられている。
【００４８】
第１結束部ＢＢ１は、アンプ基板３３からモーター４に接続された電力線Ｃ２、電力線Ｃ３、電力線Ｃ４のそれぞれを、電力線Ｃ２、電力線Ｃ３、電力線Ｃ４のそれぞれがアンプ基板３３に接続された接続位置に第２結束部ＢＢ２よりも相対的に遠い位置において結束する部材であり、例えば、結束クリップである。この一例において、第１結束部ＢＢ１は、アンプカバー３２にネジで取り付けられている。
【００４９】
第２結束部ＢＢ２は、アンプ基板３３からモーター４に接続された電力線Ｃ２、電力線Ｃ３、電力線Ｃ４のそれぞれを、電力線Ｃ２、電力線Ｃ３、電力線Ｃ４のそれぞれがモーター４に接続された接続位置に第１結束部ＢＢ１よりも相対的に近い位置において結束する部材であり、例えば、結束クリップである。この一例において、第２結束部ＢＢ２は、アンプカバー３２にネジで取り付けられている。
【００５０】
このような第１結束部ＢＢ１及び第２結束部ＢＢ２により、アンプカバー３２の外側には、電力線Ｃ２、電力線Ｃ３、電力線Ｃ４のそれぞれが結束されている。これにより、モーターユニット２は、アンプ基板３３の外側に結束された電力線Ｃ２、電力線Ｃ３、電力線Ｃ４のそれぞれが他の物体と干渉してしまうことを抑制することができる。また、モーターユニット２は、アンプカバーの外側に結束された電力線Ｃ２、電力線Ｃ３、電力線Ｃ４のそれぞれが最大曲げ半径を超えて曲がってしまうことを抑制することができるとともに、ユーザーにモーターユニット２の組み立てを容易に行わせることができる。
【００５１】
ここで、アンプカバー３２と電力線Ｃ２、電力線Ｃ３、電力線Ｃ４のそれぞれとの間に他の配線が挟まれた場合、当該配線には、ノイズを発生してしまう場合がある。そこで、アンプ部３では、アンプカバー３２と電力線Ｃ２、電力線Ｃ３、電力線Ｃ４のそれぞれとの間には、他の配線が挟まれていない。具体的には、アンプ部３では、電力線Ｃ２、電力線Ｃ３、電力線Ｃ４のそれぞれとアンプ部３との間に他の配線が入り込まないようにするため、電力線Ｃ２、電力線Ｃ３、電力線Ｃ４のそれぞれがアンプ部３の表面に沿って引き回され、第１結束部ＢＢ１及び第２結束部ＢＢ２によって結束されている。これにより、モーターユニット２は、電力線Ｃ２、電力線Ｃ３、電力線Ｃ４のそれぞれを流れる電流の波形の変化が他の配線を流れる電流の波形を変化させてしまうことを抑制すること（すなわち、ノイズの発生を抑制すること）ができる。
なお、電力線Ｃ２と、電力線Ｃ３と、電力線Ｃ４とのそれぞれは、アンプカバー３２の前面に代えて、アンプカバー３２の側面等のアンプカバー３２の他の位置に結束される構成であってもよい。この場合、第１結束部ＢＢ１及び第２結束部ＢＢ２とがアンプカバー３２に取り付けられる位置は、電力線Ｃ２と、電力線Ｃ３と、電力線Ｃ４とのそれぞれが結束される位置であってアンプカバー３２の位置に応じた位置である。また、電力線Ｃ２と、電力線Ｃ３と、電力線Ｃ４とのそれぞれは、アンプカバー３２の外側に代えて、アンプカバー３２の内側に結束される構成であってもよい。この場合、第１結束部ＢＢ１及び第２結束部ＢＢ２は、アンプカバー３２の内側に取り付けられる。
【００５２】
また、上記において説明したアンプ部３は、図９に示したように、ロボット１が備えるアーム（この一例では、第１アームＡ１、第２アームＡ２）の内部において、モーター４以外の物体に取り付け可能である構成であってもよい。図９は、第２アームＡ２の内部の様子の一例を示す図である。図９に示した点線ＷＤ内に含まれるモーターユニット２は、モーター４とアンプ部３とが別体となっており、モーター４以外の物体として第２アームＡ２の内部の部材にアンプ部３が取り付けられている。このように、アンプ部３がモーター４以外の物体に取り付け可能であることにより、モーターユニット２は、組み付け対象へ組み付ける位置を選択する自由度を向上させることができる。
【００５３】
また、上記において説明したアンプ部３は、モーター４以外の物体としてロボット１が備える筐体に取り付け可能である構成であってもよい。ロボット１が備える筐体は、例えば、支持台Ｂの筐体や、第２アームＡ２の筐体のことである。これにより、ロボット１は、放熱部材３１からのこれらの筐体への熱伝導によってアンプ基板３３の熱を放熱することができる。すなわち、ロボット１は、これらの筐体によってアンプ部３の発熱による不具合の発生を抑制することができる。
【００５４】
更に、アンプ部３が第２アームＡ２の筐体に取り付けられた場合、第２アームＡ２の回動とともに当該筐体が移動可能であるため、当該筐体は、放熱部材３１から伝導されたアンプ基板３３の熱を風（空気）によってより早く放熱することができる。すなわち、ロボット１は、移動可能な当該筐体によってアンプ部３の発熱による不具合の発生をより確実に抑制することができる。
【００５５】
ここで、ロボット１が備える筐体のうち少なくともアンプ部３を取り付け可能な部分は、放熱部材であってもよい。これにより、ロボット１は、当該部分によってアンプ部３の発熱による不具合の発生をより確実に抑制することができる。
【００５６】
また、アンプ部３が備える放熱部材３１は、ロボット１が備える筐体と一体に形成される構成であってもよい。この場合、当該筐体には、収納部３０の後ろ側の隔壁部となる部分と、収納部３０の左側の隔壁部となる部分と、収納部３０の右側の隔壁部となる部分とが形成されている。そして、当該筐体には、アンプカバー３２が設けられる。これにより、ロボット１は、アンプ部３が備える放熱部材３１をロボット１が備える筐体と共通化できるため、当該筐体と別体の放熱部材３１を必要とせず、低コストで生産することができるとともに、小型化することができる。また、ロボット１は、当該筐体と放熱部材３１とが一体に形成されることによって部材間の繋ぎ目が存在しないため、アンプ部３の熱を効率よく放熱することができる。
【００５７】
また、アンプ部３は、ロボット１が備える筐体が第２開口部を有していた場合、図１０及び図１１に示したように、第２開口部の少なくとも一部を覆う蓋部材に取り付けられる構成であってもよい。図１０及び図１１に示した蓋部材ＣＣは、当該蓋部材の一例である。すなわち、当該蓋部材は、当該筐体のうちアンプ部３を取り付け可能な部分である。図１０は、ロボット１の筐体ＢＣであって第２開口部を有する筐体ＢＣの少なくとも一部を覆う蓋部材ＣＣに取り付けられたアンプ部３の一例を示す図である。図１１は、図１０に示した筐体ＢＣから蓋部材ＣＣを取り外した状態を示す図である。図１０及び図１１に示した筐体ＢＣは、ロボット１が備える筐体の一例である。筐体ＢＣは、第２開口部ＣＡ１０を有する。
【００５８】
図１０及び図１１に示した例では、蓋部材ＣＣは、筐体ＢＣの外側から第２開口部ＣＡ１０の全部を覆うように筐体ＢＣに取り付けられている。そして、当該例では、アンプ部３は、第２開口部ＣＡ１０の面のうち筐体ＢＣの内側の面に取り付けられている。これにより、モーターユニット２は、第２開口部ＣＡ１０の少なくとも一部を覆う蓋部材ＣＣによってアンプ部３の発熱による不具合の発生をより確実に抑制することができる。また、図１０及び図１１に示したようにアンプ部３が蓋部材ＣＣに取り付けられている場合、ユーザーは、蓋部材ＣＣを取り外すことによってモーター４を取り外すことなく容易にアンプ部３を筐体ＢＣの外側に取り出すことができる。その結果、モーターユニット２は、アンプ部３のメンテナンスをユーザーに容易に行わせることができる。
【００５９】
ここで、放熱部材３１は、蓋部材ＣＣと一体に形成される構成であってもよい。この場合、蓋部材ＣＣには、収納部３０の後ろ側の隔壁部となる部分と、収納部３０の左側の隔壁部となる部分と、収納部３０の右側の隔壁部となる部分とが形成されている。そして、蓋部材ＣＣには、アンプカバー３２が設けられる。これにより、ロボット１は、アンプ部３が備える放熱部材３１をロボット１が備える蓋部材ＣＣと共通化できるため、蓋部材ＣＣと別体の放熱部材３１を必要とせず、低コストで生産することができるとともに、小型化することができる。また、ロボット１は、蓋部材ＣＣと放熱部材３１とが一体に形成されることによって部材間の繋ぎ目が存在しないため、アンプ部３の熱を効率よく放熱することができる。
【００６０】
ここで、蓋部材ＣＣの熱伝導率が放熱部材３１の熱伝導率以上であった場合、モーターユニット２は、放熱部材３１から伝導されるアンプ部３の熱を蓋部材ＣＣによって効率よく放熱することができる。この一例において、放熱部材３１の熱伝導率が４０Ｗ／ｍ・Ｋ以上であったため、蓋部材ＣＣの熱伝導率は、４０Ｗ／ｍ・Ｋ以上である。なお、蓋部材ＣＣの熱伝導率は、放熱部材３１の熱伝導率未満であってもよい。
【００６１】
また、上記において説明したモーターユニット２は、モーター４とアンプ部３のうち少なくとも一方を覆う防水カバーを備える構成であってもよい。これにより、モーターユニット２は、耐水性を向上させることができる。
【００６２】
以上のように、モーターユニット２では、アンプ部（この一例において、アンプ部３）は、アンプカバー（この一例において、アンプカバー３２）を有し、アンプカバーに、モーター（この一例において、モーター４）に電力を供給する電力線（この一例において、電力線Ｃ２、電力線Ｃ３、電力線Ｃ４のそれぞれ）が結束されている。これにより、モーターユニット２は、電力線が他の物体と干渉してしまうことを抑制することができる。
【００６３】
また、モーターユニット２では、電力線は、アンプカバーの外側に結束されている。これにより、モーターユニット２は、アンプカバーの外側に結束された電力線が他の物体と干渉してしまうことを抑制することができる。
【００６４】
また、モーターユニット２では、アンプカバーと電力線との間には、他の配線が挟まれていない。これにより、モーターユニット２は、電力線を流れる電流の波形の変化が他の配線を流れる電流の波形を変化させてしまうことを抑制することができる。
【００６５】
また、モーターユニット２は、モーターとアンプ部のうち少なくとも一方を覆う防水カバーを備える。これにより、モーターユニット２は、耐水性を向上させることができる。
【００６６】
また、モーターユニット２では、アンプ部は、アンプ部の発熱量に応じた所定の熱伝導率の放熱部材（この一例において、放熱部材３１）を備える。これにより、モーターユニット２は、アンプ部の発熱による不具合の発生を抑制することができる。
【００６７】
また、モーターユニット２では、アンプ部は、熱伝導率が４０Ｗ／ｍ・Ｋ以上の放熱部材を備える。これにより、モーターユニット２は、熱伝導率が４０Ｗ／ｍ・Ｋ以上の放熱部材によって、アンプ部の発熱による不具合の発生を抑制することができる。
【００６８】
また、モーターユニット２では、アンプ部は、熱伝導率が２００Ｗ／ｍ・Ｋ以上の放熱部材を備える。これにより、モーターユニット２は、熱伝導率が２００Ｗ／ｍ・Ｋ以上の放熱部材によって、アンプ部の発熱による不具合の発生を抑制することができる。
【００６９】
また、モーターユニット２では、放熱部材は、アンプ部をモーターに取り付け可能である。これにより、モーターユニット２は、モーターとアンプ部とを一体化することができる。
【００７０】
また、モーターユニット２では、放熱部材は、アンプ部をモーター以外の物体（この一例において、ロボット１が備える筐体）に取り付け可能である。これにより、モーターユニット２は、組み付け対象へ組み付ける位置を選択する自由度を向上させることができる。
【００７１】
また、モーターユニット２では、放熱部材は、第１開口部（この一例において、開口部ＣＡ１、開口部ＣＡ２、開口部ＣＡ３のそれぞれ）を有する。これにより、モーターユニット２は、アンプ部において放熱部材によって覆いたくない所望の部分を第１開口部によって外部に開くことができる。
【００７２】
また、モーターユニット２では、アンプ部は、アンプ基板（この一例において、アンプ基板３３）を有し、アンプ基板と放熱部材との間に緩衝部材（緩衝部材ＷＳ）が配置されている。これにより、モーターユニット２は、アンプ基板に放熱部材を取り付ける際にアンプ基板が変形してしまうことを抑制することができる。
【００７３】
また、モーターユニット２では、アンプ基板と放熱部材との間に放熱シート（この一例において、放熱シートＴＳ）が配置されている。これにより、モーターユニット２は、アンプ基板と放熱部材との間を緩衝部材と放熱シートとで埋めることができ、アンプ部の発熱による不具合の発生を抑制することができる。
【００７４】
また、ロボット１では、アンプ部は、アンプカバーを有し、アンプカバーに、モーターに電力を供給する電力線が結束されている。これにより、ロボット１は、電力線が他の物体と干渉してしまうことを抑制することができる。
【００７５】
また、ロボット１では、アンプ部は、筐体（この一例において、ロボット１が備える筐体）に取り付け可能である。これにより、ロボット１は、筐体によってアンプ部の発熱による不具合の発生を抑制することができる。
【００７６】
また、ロボット１では、筐体は、移動可能である。これにより、ロボット１は、移動可能な筐体によってアンプ部の発熱による不具合の発生をより確実に抑制することができる。
【００７７】
また、ロボット１では、筐体のうちアンプ部を取り付け可能な部分は、放熱部材である。これにより、ロボット１は、筐体のうちアンプ部を取り付け可能な部分であって放熱部材の部分によってアンプ部の発熱による不具合の発生をより確実に抑制することができる。
【００７８】
また、ロボット１では、筐体は、第２開口部（この一例において、ＣＡ１０）を有し、筐体のうちアンプ部を取り付け可能な部分は、第２開口部の少なくとも一部を覆う蓋部材（この一例において、蓋部材ＣＣ）である。これにより、ロボット１は、第２開口部の少なくとも一部を覆う蓋部材によってアンプ部の発熱による不具合の発生をより確実に抑制することができるとともに、アンプ部のメンテナンスをユーザーに容易に行わせることができる。
【００７９】
また、ロボット１では、蓋部材の熱伝導率は、４０Ｗ／ｍ・Ｋ以上である。これにより、ロボット１は、熱伝導率が４０Ｗ／ｍ・Ｋ以上の蓋部材によってアンプ部の発熱による不具合の発生を抑制することができる。
【００８０】
以上、この発明の実施形態を、図面を参照して詳述してきたが、具体的な構成はこの実施形態に限られるものではなく、この発明の要旨を逸脱しない限り、変更、置換、削除等されてもよい。
【符号の説明】
【００８１】
１…ロボット、２、２１〜２４…モーターユニット、３…アンプ部、４…モーター、３０…収納部、３１…放熱部材、３２…アンプカバー、３３…アンプ基板、Ａ１…第１アーム、Ａ２…第２アーム、ＡＸ１…第１軸、ＡＸ２…第２軸、ＡＸ３…第３軸、Ｂ…支持台、ＢＢ１…第１結束部、ＢＢ２…第２結束部、ＢＣ…筐体、ＢＴ、ＢＴ２…ボルト、Ｃ１…配管、Ｃ２、Ｃ３、Ｃ４…電力線、ＣＡ１、ＣＡ２、ＣＡ３…開口部、ＣＡ１０…第２開口部、ＣＣ…蓋部材、Ｎ２…ナット、Ｓ…シャフト、Ｓ１…回動軸、ＴＳ…放熱シート、ＷＤ…点線、ＷＳ…緩衝部材
【図１】
2017216863.tif 000003
【図２】
2017216863.tif 000004
【図３】
2017216863.tif 000005
【図４】
2017216863.tif 000006
【図５】
2017216863.tif 000007
【図６】
2017216863.tif 000008
【図７】
2017216863.tif 000009
【図８】
2017216863.tif 000010
【図９】
2017216863.tif 000011
【図１０】
2017216863.tif 000012
【図１１】
2017216863.tif 000013